(57)【要約】【課題】収容部の開口を容易に広げることが可能なマスクを提供する。【解決手段】本発明に係るマスク１は、口及び鼻孔を覆うマスク本体２を備える。マスク本体２は、第一シート４と、これに重ね合わせられる第二シート５とを備える。第一シート４と第二シート５との外周縁の一部が接合されていることで、マスク１は、第一シート４と第二シート５との間に、物品Ｂを収容する収容部Ｐを有する。マスク１は、第一シート４の外周縁の非接合部４ａ，４ｅ，４ｂ，４ｆ及び第二シート５の外周縁の非接合部５ａ，５ｂが収容部Ｐの開口縁を構成するものであって、第二シート５の非接合部５ａ，５ｂは、いずれも、非直線状を呈し、且つ、一部５１が、第一シート５の非接合部に重なっていない。【選択図】図２
2020051007.tif 000002
【特許請求の範囲】
【請求項１】
口及び鼻孔を覆うマスク本体を備え、
前記マスク本体は、第一シートと、これに重ね合わせられる第二シートとを備え、
前記第一シートと前記第二シートの外周縁の一部が接合されていることで、これらの間に、物品を収容可能な収容部を有し、
前記第一シートの外周縁の非接合部及び前記第二シートの外周縁の非接合部が前記収容部の開口縁を構成するマスクであって、
前記第二シートの前記非接合部は、非直線状を呈し、且つ、少なくとも一部が、前記第一シートの前記非接合部と重ならない、マスク。
【請求項２】
前記第二シートの前記非接合部は、凸部を少なくとも１つ有することで、非直線状を呈する、請求項１に記載のマスク。
【請求項３】
前記第二シートの前記非接合部は、前記幅中央線の上端から低く傾斜して延びる第一領域と、前記第一領域と前記凸部を形成するように前記第一領域よりも急勾配で低く傾斜して延びる第二領域とを含む、請求項２に記載のマスク。
【請求項４】
前記第二シートの前記非接合部のうち、前記第一領域は前記第一シートの前記非接合部に重なり、前記第二領域は前記第一シートの前記非接合部よりも下側を延びる、請求項３に記載のマスク。
【請求項５】
前記凸部の頂点と前記幅中央線の上端との間の左右方向の距離は、１０ｍｍ以上、５０ｍｍ以下であり、
前記凸部の頂点と前記幅中央線の上端との間の上下方向の距離は、５ｍｍ以上、３０ｍｍ以下である、請求項４に記載のマスク。
【請求項６】
前記物品は、保水液が含浸される吸収性コア、或いはカイロである、請求項１乃至５のいずれかに記載のマスク。
【発明の詳細な説明】
【技術分野】
【０００１】
本発明は、物品を収容可能な収容部を備えるマスクに関する。
【背景技術】
【０００２】
従来、収容部を備えるマスクが使用されている。この種のマスクとして、特許文献１，２には、保水液を含浸させた吸収性コアを収容部に収容するマスクが開示されている。
【０００３】
特許文献１のマスクは、口及び鼻孔を覆うマスク本体と、マスク本体の両端に設けられる耳掛け部とを備える。マスク本体は、同一形状の２枚のシート（不織布）を重ね合わせて、これらシートの外周縁の一部を接合したものであり、シート間の空間が収容部を構成する。各シートでは、外周縁の上端が、接合されない非接合部となっており、２枚のシートの非接合部の間から、吸収性コアを収容部に投入できる。
【０００４】
特許文献２のマスクも、２枚のシートの外周縁の一部が接合されて、シート間の空間が収容部を構成するものであるが、２枚のシートの形状は同一ではなく、内側（顔側）のシートは、収容部の開口縁をなす非接合部が、直線状を呈している。
【先行技術文献】
【特許文献】
【０００５】
【特許文献１】特開２０１４−１４０７７４号公報
【特許文献２】意匠登録第１６０７２７３号公報
【発明の概要】
【発明が解決しようとする課題】
【０００６】
ところで特許文献１，２のマスクでは、収容部に吸収性コアを収容する際に、収容部の開口を指で広げる必要がある。これに関して、特許文献１のマスクでは、２枚のシートが同一形状であることで、２枚のシートの非接合部が重なっている（一方のシートの非接合部が、他方のシートの非接合部に重なっている）。このため、収容部の開口（２枚のシートの非接合部の間）が分かりにくいという点で改良の余地がある。また特許文献２のマスクは、非接合部（収容部の開口縁）が直線状を呈して指掛かりがない。このため、収容部の開口を広げにくいという点で改良の余地がある。
【０００７】
本発明は、上記問題を解決するためになされたものであり、その目的は、収容部を備えるマスクであって、収容部の開口を容易に広げることが可能なマスクを提供することである。
【課題を解決するための手段】
【０００８】
本発明のマスクは、口及び鼻孔を覆うマスク本体を備え、前記マスク本体は、第一シートと、これに重ね合わせられる第二シートとを備え、前記第一シートと前記第二シートの外周縁の一部が接合されていることで、これらの間に、物品を収容可能な収容部を有し、前記第一シートの外周縁の非接合部及び前記第二シートの外周縁の非接合部が前記収容部の開口縁を構成するマスクであって、前記第二シートの前記非接合部は、非直線状を呈し、且つ、少なくとも一部が、前記第一シートの前記非接合部と重ならない。
【０００９】
また、前記第二シートの前記非接合部は、凸部を少なくとも１つ有することで、非直線状を呈することが好ましい。
【００１０】
また、前記第二シートの前記非接合部は、前記幅中央線の上端から低く傾斜して延びる第一領域と、前記第一領域と前記凸部を形成するように前記第一領域よりも急勾配で低く傾斜して延びる第二領域とを含むことが好ましい。
【００１１】
また、前記第二シートの前記非接合部のうち、前記第一領域は前記第一シートの前記非接合部に重なり、前記第二領域は前記第一シートの前記非接合部よりも下側を延びることが好ましい。
【００１２】
また、前記凸部の頂点と前記幅中央線の上端との間の左右方向の距離は、１０ｍｍ以上、５０ｍｍ以下であり、前記凸部の頂点と前記幅中央線の上端との間の上下方向の距離は、５ｍｍ以上、３０ｍｍ以下であることが好ましい。
【００１３】
また、前記マスク本体は、前記第二シートに対して前記第一シートの反対側に配置される第三シートをさらに備え、前記第二シートの外周縁のうち、前記非接合部を除いた部分が、前記第三シートに接合されていることが好ましい。
【００１４】
また、前記マスク本体は、前記第一シートに対して前記第二シートの反対側に配置される第四シートをさらに備え、前記第一シートの外周縁のうち、前記第二シートの非接合部に重ならない部分が、前記第四シートに接合されていることが好ましい。
【００１５】
また、前記物品は、保水液が含浸される吸収性コア、或いはカイロであることが好ましい。
【発明の効果】
【００１６】
本発明のマスクによれば、第一シートの外周縁の非接合部及び第二シートの外周縁の非接合部によって収容部の開口縁が構成されるところ、第二シートの非接合部の少なくとも一部が、第一シートの非接合部に重なっていない。このため、収容部の開口が分かりやすい。また、第二シートの非接合部が、非直線状を呈することで、第二シートの非接合部に指を掛けやすい。以上の理由から、本発明のマスクによれば、収容部の開口を容易に広げることができる。
【図面の簡単な説明】
【００１７】
【図１】本発明の実施形態に係るマスクの斜視図である。
【図２】本発明の実施形態に係るマスクの背面図（内側（顔側）から視た図）である。
【図３】本発明の実施形態に係るマスクを正面図（外側（顔反対側）から視た図）である。
【図４】本発明の実施形態に係るマスクの平面図である。
【発明を実施するための形態】
【００１８】
以下、本発明の実施の形態に係るマスクについて添付図面を参照して説明する。図１〜図４は、本発明の実施形態に係るマスク１の外観を示す。本願では、「左側」や「右側」の用語を用いるが、これらの用語は、マスク１の装着者を基準とする方向を意味する。つまり、「左側」は図２（背面図）の左側や図３（正面図）の右側に相当し、「右側」は図２（背面図）の右側や図３（正面図）の左側に相当する。
【００１９】
本実施形態に係るマスク１は、顔の口及び鼻孔を覆うマスク本体２と、マスク本体２を顔に保持するための保持部３とを備える。
【００２０】
保持部３は、マスク本体２の両端に設けられる線材であり、ポリエステル等の伸縮性のある材料から形成される。マスク１の使用時には、マスク本体２を広げて、保持部３を耳に掛けることで、マスク本体２が顔に保持される。なお、保持部３は、マスク本体２の両端に両面テープを貼り付けることで構成されてもよく、マスク本体２の両端に耳が入る孔を設けることで構成されてもよい。
【００２１】
マスク本体２は、通気性を有し、顔に保持されたときに口及び鼻孔を覆うものである。マスク本体２は、幅中央線Ｈを挟んで左右対称の形状を呈する。
【００２２】
幅中央線Ｈは、これを折り目としてマスク本体２を二つ折りにしたときに、円弧状となるように形成されている。これにより、二つ折りのマスク本体２を広げて顔に装着したときに、マスク本体２は立体的な形状となる。そして、保持部３による引っ張りで、幅中央線Ｈの上端Ｈａが鼻根（鼻の付け根）に押し付けられ、幅中央線Ｈの下端Ｈｂが顎に押し付けられて、口又は鼻孔とマスク本体２との間に空間が形成される。この空間は、幅中央線Ｈを稜線とする空間であり、例えば、１０ｃｍ３〜２００ｃｍ３の体積を有することが好ましく、３０ｃｍ３〜１５０ｃｍ３の体積を有することがさらに好ましい。
【００２３】
マスク本体２は、第一シート４と、第一シート４に重ね合わせられる第二シート５とを備える。マスク本体２が顔に装着される際には、第二シート５が内側（顔側）に配置され、第一シート４が外側（顔反対側）に配置される。
【００２４】
第一シート４と第二シート５とは、外周縁の一部が接合されることで、これらの間に物品Ｂを収容可能な収容部Ｐを有する。物品Ｂは、例えば、保水液が含浸される吸収性コア、或いは使い捨てカイロなどを挙げることができる。吸収性コアが収容部Ｐに収容される場合には、吸収性コアから蒸発する水分によって、口腔を潤すことができる。使い捨てカイロが収容部Ｐに収容される場合には、使い捨てカイロが発する熱によって、顔を暖めることができる。
【００２５】
第一シート４及び第二シート５は、それぞれ、通気性を有する織布や不織布から形成される。織布及び不織布を構成する繊維素材は、例えば紙、レーヨン・コットン等の天然繊維、ポリプロピレン・ポリエチレン・ポリエステル等の合成繊維である。生産性の観点から、ポリプロピレン、ポリエチレンを使用することが好ましく、さらに保形性の観点からポリプロピレンを使用することがより好ましい。第一シート４及び第二シート５を不織布から形成する場合には、スパンボンド法、メルトブロー法、サーマルボンド法またはスパンレース法による不織布を使用することが好ましく、肌触りと保形性の観点からスパンボンド法による不織布を使用することがより好ましい。第一シート４及び第二シート５の通気度は、３０〜１００ｃｍ３／ｃｍ２・ｓｅｃであることが好ましい。上記の通気度は、ＪＩＳ  Ｌ１０９６  ８．２７．１Ａ法（フラジール形法）で測定される値である。
【００２６】
第一シート４は、幅中央線Ｈの上端Ｈａから左側に延びる第一左側上縁４ａと、幅中央線Ｈの上端Ｈａから右側に延びる第一右側上縁４ｂと、幅中央線Ｈの下端Ｈｂから左側に延びる第一左側下縁４ｃと、幅中央線Ｈの下端Ｈｂから右側に延びる第一右側下縁４ｄと、第一左側上縁４ａ及び第一左側下縁４ｃの左端同士を接続する第一左側側縁４ｅと、第一右側上縁４ｂ及び第一右側下縁４ｄの右端同士を接続する第一右側側縁４ｆと、を有する。
【００２７】
第一シート４では、幅中央線Ｈから幅外側（左側や右側）に向けて上下の幅が徐々に狭くなるように、上縁４ａ，４ｂ及び下縁４ｃ，４ｄが傾斜する。上述のように幅中央線Ｈの上端Ｈａ（つまり上縁４ａ，４ｂの基端）が鼻根に押し付けられる部位であるところ、上縁４ａ，４ｂの傾斜の勾配は、上縁４ａ，４ｂが鼻の外側に向けて延びる勾配に調整される。また、第一左側側縁４ｅ及び第一右側側縁４ｆは、幅中央線Ｈ側に凹む円弧状を呈する。
【００２８】
第二シート５は、その外周縁が、第一シート４の外側に突出しないものである。当該第二シート５は、第一左側下縁４ｃに重なる第二左側下縁５ｃと、第一右側下縁４ｄに重なる第二右側下縁５ｄと、第一左側側縁４ｅの下側範囲に重なる第二左側側縁５ｅと、第一右側側縁４ｆの下側範囲に重なる第二右側側縁５ｆと、第二左側側縁５ｅ及び幅中央線Ｈの上端同士を接続する第二左側上縁５ａと、第二右側側縁５ｆ及び幅中央線Ｈの上端同士を接続する第二右側上縁５ｂとを有する。
【００２９】
そして、第二シート５は、第二左側下縁５ｃが第一シート４の第一左側下縁４ｃに接合され、第二右側下縁５ｄが第一シート４の第一右側下縁４ｄに接合され、第二左側側縁５ｅが第一シート４の第一左側側縁４ｅの下側範囲に接合され、第二右側側縁５ｆが第一シート４の第一右側側縁４ｆの下側範囲に接合される。これにより、マスク１は、第一シート４と第二シート５の外周縁の一部同士が接合されて、第一シート４と第二シート５との間に収容部Ｐを有するものとなっている。上記の接合は、縫製、超音波溶着、或いは熱融着によって行われる。
【００３０】
第一シート４の外周縁の非接合部及び第二シート５の外周縁の非接合部は、収容部Ｐに物品Ｂを出し入れ可能な収容部Ｐの開口縁を構成する。
【００３１】
第一シート４は、本実施形態では、外周縁のうち、第一左側上縁４ａと、第一左側側縁４ｅの上側範囲と、第一右側上縁４ｂと、第一右側側縁４ｆの上側範囲とが非接合部となっており、第一左側上縁４ａ及び第一左側側縁４ｅの上側範囲が幅中心線Ｈから左側に延び、第一右側上縁４ｂ及び第一右側側縁４ｆの上側範囲が幅中心線Ｈから右側に延びている。
【００３２】
第二シート５は、本実施形態では、外周縁のうち、第二左側上縁５ａと、第二右側上縁５ｂとが非接合部となっており、第二左側上縁５ａが幅中心線Ｈから左側に延び、第二右側上縁５ｂが幅中心線Ｈから右側に延びている。
【００３３】
本実施形態では、収容部Ｐの開口を容易に広げられるように、第二シート５の非接合部である第二左側上縁５ａ及び第二右側上縁５ｂは、凸部を有することで非直線状を呈し、且つ、一部５１が第一シート４の非接合部に重ならないものとなっている。
【００３４】
具体的には、第二シート５の非接合部である第二左側上縁５ａ及び第二右側上縁５ｂは、それぞれ、幅中央線Ｈの上端Ｈａから低く傾斜して延びる第一領域５０と、第一領域５０とともに凸部を形成するように第一領域５０よりも急勾配で低く傾斜して延びる第二領域５１とを含む。第一領域５０は、第一シート４の非接合部（第一左側上縁４ａや第一右側上縁４ｂ）に重なっているが、第二領域５１は、第一シート４の非接合部（第一左側上縁４ａや第一右側上縁４ｂ）の下側を延びることで、第一シート４の非接合部に重なっていない。
【００３５】
本実施形態のマスク１によれば、上述のように、第二シート５の非接合部（第二左側上縁５ａ及び第二右側上縁５ｂ）の第二領域５１が、第一シート４の非接合部に重なっていない。このため、収容部Ｐの開口（第一シート４の非接合部と第二シート５の非接合部との間）が分かりやすい。また、第二シート５の非接合部（第二左側上縁５ａ及び第二右側上縁５ｂ）が、非直線状を呈することで、第二シート５の非接合部（第二左側上縁５ａ及び第二右側上縁５ｂ）に指を掛けやすい。以上の理由から、本実施形態のマスク１によれば、収容部Ｐの開口を容易に広げることができるので、収容部Ｐに物品を収容することが容易である。また本実施形態のマスク１では、第二シート５の非接合部（第二左側上縁５ａ及び第二右側上縁５ｂ）が凸部を有することで、第二シート５の非接合部（第二左側上縁５ａ及び第二右側上縁５ｂ）を指でつまみやすい。この点からも収容部Ｐの開口を広げることが容易である。
【００３６】
さらに本実施形態のマスク１によれば、第二シート５の非接合部（第二左側上縁５ａ及び第二右側上縁５ｂ）が、非直線状を呈することで、収容部Ｐの開口縁を長くすることができる。したがって、収容部Ｐの開口を大きく広げることができるので、収容部Ｐに大きな物品Ｂを収容できる。
【００３７】
さらに本実施形態のマスク１では、内側（顔側）に配置される第二シート５の外周縁が、第一シート４の外側に突出しない。このためマスク１の外観が良好になる。またマスク本体２を顔に装着した際には、上述したようにマスク本体２の幅中央線Ｈの上端Ｈａが鼻根（鼻の付け根）に押し付けられるが、第２シート５では、幅中央線Ｈの上端Ｈａ近傍にある第一領域５０が、第一シート４の非接合部である上縁４ａ，４ｂに重なっているので、第一領域５０を鼻の外側に延びるものとすることができる。したがって鼻におけるマスク１の感触が良好になる。なお「第一領域５０が第一シート４の非接合部（上縁４ａ，４ｂ）に重なる」とは、「第一領域５０が第一シート４の非接合部（上縁４ａ，４ｂ）に完全に重なる場合」のみならず、「鼻におけるマスク１の感触が良好になる程度に、第一領域５０と第一シート４の非接合部（上縁４ａ，４ｂ）との間に若干の隙間（２ｍｍ以下）が存在する場合」も含む概念である。なお第一領域５０を鼻の外側に延ばすために、凸部の頂点Ｔと幅中央線Ｈの上端Ｈａとの間の左右方向の距離ｄ１を、１０ｍｍ以上、５０ｍｍ以下とし、凸部の頂点Ｔと幅中央線Ｈの上端Ｈａとの間の上下方向の距離ｄ２を、５ｍｍ以上、３０ｍｍ以下とすることが好ましい。
【００３８】
また本実施形態のマスクでは、物品Ｂを収容部Ｐの所定位置に保持するために、第一シート４及び第二シート５の一部を接着することが好ましい。この場合、例えば、図１〜図３に示すように、第一シート４と第二シート５とを接着線Ｓ１，Ｓ２に沿って接着することが行われる。接着線Ｓ１は、幅中央線Ｈの途中位置Ｈｃから左側に延びた後、上側に延びる。接着線Ｓ２は、幅中央線Ｈの途中位置Ｈの途中位置Ｈｃから右側に延びた後、上側に延びる。上記の接着線Ｓ１，Ｓ２が形成される場合には、幅中央線Ｈと接着線Ｓ１とよって区画される範囲や、幅中央線Ｈと接着線Ｓ２とによって区画される範囲に、物品Ｂを位置決めできる。なお図１〜図３に示すように、接着線Ｓ１の上端部Ｓ１０を左側に若干延びるものとし、接着線Ｓ２の上端部Ｓ２０を右側に若干延びるものとすることがより好ましい。このようにすれば、指で収容部Ｐを開く際に強い力が接着線Ｓ１，Ｓ２に加えられても、接着線Ｓ１，Ｓ２におけるシート４，５の接着を維持できる。
【００３９】
本発明のマスク１は、上記実施形態に示すものに限定されず、種々改変できる。
【００４０】
例えば、第一シート４や第二シート５の形状は、図１〜図４に示す形状に限定されず、口や鼻孔を覆うことの可能な様々な形状とすることができる。例えば、第一シート４は略矩形状や略楕円状とされてもよい。このような場合でも、シート４，５の外周縁の一部のみを接合することで、マスク１は、シート４，５の間に収容部Ｐを有するものとなる。そしてさらに、収容部Ｐの開口縁をなす第二シート５の非接合部を、非直線状として、且つ、第二シート５の非接合部の少なくとも一部を第一シート４の非接合部に重ならないものとすれば、上記実施形態と同様の理由から、収容部Ｐの開口を容易に広げることが可能となる。
【００４１】
また、第二シート５の非接合部に形成する凸部の数は、特に限定されず、１以上の任意の数とすることができる。また、第二シート５の非接合部は、凹部を有するものであってもよく、凹部と凸部が交互に並ぶ波状部を有するものであってもよい。以上のようにしても、第二シート５の非接合部が非直線状になるので、第二シート５の非接合部に指を掛けやすくなり、また収容部Ｐの開口縁を長くすることができる。また以上のようにシート４，５の形状が変更される場合でも、第二シート５の外周縁が、第一シート４の外側に突出しないようにすれば、マスク１の外観を良好にすることができる。また凸部や凹部は、尖った頂点を有するものであってもよく、湾曲するものであってもよい。なお、第二シート５の外周縁に凸部を形成すれば、第二シート５の外周縁を容易につまめるので、収容部Ｐの開口を広げることがより容易になる。さらに第二シート５の外周縁の凸部を第一シート４の外側に突出するものとすれば、第二シート５の外周縁（凸部）をさらに容易につまめるので、収容部Ｐの開口を広げることがより容易になる。
【００４２】
さらに上記実施形態では、マスク本体２が、第一シート４及び第二シート５のみを備える例を示したが、マスク本体２の防塵性等を高めるために、マスク本体２を３以上のシートから構成してもよい。
【００４３】
例えば、マスク本体２は、第二シート５に対して第一シート４の反対側（つまり第二シート５の顔側）に配置される第三シートをさらに備えていてもよい。この場合、例えば、第三シートの形状は、第二シート５と同一の形状とされる。そして、第二シート５の外周縁と第三シートの外周縁とが重なるように、第二シート５と第三シートとが接合される。
【００４４】
なお必ずしも第三シートの形状を第二シート５と同一の形状にする必要はない。また、第三シートの数は、一又は任意の複数とされ得る。また第一シート４と第二シート５との接合とは別に、第二シート５と第三シートとの接合を行う場合には、第二シート５と第三シートとの接合線は特に限定されない。なお第一・第二・第三シートの接合を同時に行う場合には、第二シート５の外周縁のうち、非接合部（第一シート４と接合されない部分）を除いた部分を、第三シートに接合する必要がある。このようにすれば、第二シート５と第三シートとの接合線が、収容部Ｐの開口を塞ぐものとならない。
【００４５】
また、マスク本体２は、第一シート４に対して第二シート５の反対側（つまり第一シート４の顔反対側）に配置される第四シートをさらに備えていてもよい。この場合、例えば、第四シートの形状は、第一シート４と同一の形状とされる。そして、第一シート４の外周縁と第四シートの外周縁とが重なるように、第一シート４と第四シートとが接合される。
【００４６】
なお必ずしも第四シートの形状を第一シート５と同一の形状にする必要はない。また、第四シートの数は、一又は任意の複数とされ得る。また第一シート４と第二シート５との接合とは別に、第一シート４と第四シートとの接合を行う場合には、第一シート４と第四シートとの接合線は特に限定されない。なお第一・第二・第四シートの接合を同時に行う場合には、第一シート５の外周縁のうち、第二シート４の非接合部に重ならない部分（上記実施形態では、上縁４ａの左側範囲、上縁４ｂの右側範囲、下縁４ｃ，４ｄ、側縁４ｅ，４ｆ）が、第四シートに接合される。このようにすれば、第一シート４と第四シートとの接合線が、収容部Ｐの開口を塞ぐものとならない。
【符号の説明】
【００４７】
１  マスク
２  マスク本体
４  第一シート
５  第二シート
５０  第一領域
５１  第二領域
Ｂ  物品
Ｈ  幅中央線
Ｈａ  幅中央線の上端
Ｈｂ  幅中央線の下端
Ｐ  収容部
Ｔ  凸部の頂点
【図１】
2020051007.tif 000003
【図２】
2020051007.tif 000004
【図３】
2020051007.tif 000005
【図４】
2020051007.tif 000006